(57)【特許請求の範囲】
【請求項１】
本体に対してカバーがスライドする携帯用端末において、
前記本体に固定され、上側及び下側には垂直方向にＸ軸移動ガイド部が形成された平板状の固定ステージと、
前記Ｘ軸移動ガイド部に結合されて水平方向に移動するように上側及び下側に水平方向にＸ軸スライド部が設けられ、両側には垂直方向にＹ軸移動ガイド部が設けられ、中央に空間孔が穿設されたＸ軸移動ステージと、
前記カバーに固定され、前記Ｙ軸移動ガイド部に結合されて空間孔内において垂直方向に移動するように両側にＹ軸スライド部が形成されたＹ軸移動ステージと、
前記固定ステージに一方の端が結合され、他方の端はＹ軸移動ステージに結合されてＸ軸移動ステージの水平方向及びＹ軸移動ステージの垂直方向に連携スライド時に空間孔の範囲内において３６０°回転する弾性部材と、
を備えることを特徴とする携帯用端末の２軸スライド装置。
【請求項２】
前記Ｘ軸移動ガイド部は、Ｘ軸移動ステージから上向きに折曲されて内側に延びた‘（ハングル子音Ｔ・Ｄの文字）’字状のガイド溝であり、前記Ｘ軸スライド部は、Ｘ軸移動ステージから下向きに折曲されて外側に延びたスライドレールであることを特徴とする請求項１に記載の携帯用端末の２軸スライド装置。
【請求項３】
前記Ｙ軸移動ガイド部は、Ｘ軸移動ステージから下向きに折曲された形状を呈し、前記Ｙ軸スライド部は、固定ステージとＸ軸移動ステージとの間に介装されるようにＹ軸移動ステージから下向きに折曲されて外側に延びた‘（ハングル子音Ｎの文字）’字状のスライドレールからなることを特徴とする請求項１に記載の携帯用端末の２軸スライド装置。
【請求項４】
前記各スライド部の端部にはガイド部材が結合されることを特徴とする請求項１から請求項３のいずれかに記載の携帯用端末の２軸スライド装置。
【請求項５】
前記ガイド部材は、摩擦を低減可能な天然ゴムまたは合成樹脂からなることを特徴とする請求項４に記載の携帯用端末の２軸スライド装置。
【請求項６】
前記それぞれの移動ガイド部はガイドバーからなり、前記スライド部は前記ガイドバーが介装された状態においてガイドバーに沿ってスライド可能なスライドブロックからなることを特徴とする請求項１に記載の携帯用端末の２軸スライド装置。
【請求項７】
前記弾性部材は、固定ステージの中央に回転可能に結合される第１のヒンジ軸と、Ｙ軸移動ステージの中央に回転可能に結合される第２のヒンジ軸と、一方の端は第１のヒンジ軸に結合され、他方の端は第２のヒンジ軸に結合される弾性バネと、から構成されることを特徴とする請求項１に記載の携帯用端末の２軸スライド装置。
【請求項８】
前記弾性部材は、第１のヒンジ軸により固定ステージに回転可能に結合される第１のバネ支持台と、第２のヒンジ軸によりＹ軸移動ステージに回転可能に結合される第２のバネ支持台と、前記第１のバネ支持台と第２のバネ支持台との間に連結されるバネガイドと、このバネガイドの外周面に巻回されて前記第１及び第２のバネ支持台により拘束されるコイルバネと、から構成されることを特徴とする請求項１に記載の携帯用端末の２軸スライド装置。
【請求項９】
前記第１のヒンジ軸は、Ｙ軸移動ステージの移動幅の中間とＸ軸移動ステージの移動幅の中間とが交差する個所の固定ステージの上面に位置することを特徴とする請求項７または請求項８に記載の携帯用端末の２軸スライド装置。
【請求項１０】
前記弾性部材の回転半径は、Ｘ軸移動ステージの移動方向を基準として固定ステージの横長の半分を超えないことを特徴とする請求項７または請求項８に記載の携帯用端末の２軸スライド装置。
【請求項１１】
本体に対してカバーがスライドする携帯用端末において、
前記本体に固定され、上側及び下側には垂直方向にＸ軸移動ガイド部が形成され、中央には垂直方向に弾性部材結合板が配備された固定ステージと、
前記Ｘ軸移動ガイド部に結合されて水平方向に移動するように上側及び下側に水平方向にＸ軸スライド部が設けられ、両側には垂直方向にＹ軸移動ガイド部が設けられ、中央に空間孔が穿設されたＸ軸移動ステージと、
前記カバーに固定され、前記Ｙ軸移動ガイド部に結合されて空間孔内において垂直方向に移動するように両側にＹ軸スライド部が形成されたＹ軸移動ステージと、
前記弾性部材結合板に一方の端が結合され、他方の端はＹ軸移動ステージに結合されてＸ軸移動ステージの水平方向及びＹ軸移動ステージの垂直方向に連携スライド時に空間孔の範囲内において３６０°回転する弾性部材と、
を備えることを特徴とする携帯用端末の２軸スライド装置。
【請求項１２】
前記弾性部材結合板の一方の側にはＹ軸移動ステージの幅に対応する取付孔が穿設されることを特徴とする請求項１１に記載の携帯用端末の２軸スライド装置。
【請求項１３】
前記Ｘ軸移動ステージは、互いに所定の間隔をあけて配置される１対の横支持台と、中央に空間孔が穿設されるように前記横支持台それぞれの先端に交差結合される１対の縦支持台と、から構成され、前記横支持台の両端は下向きに折曲され、前記縦支持台の両端には下向きに折曲されて外側に延びたＸ軸スライド部が形成されることを特徴とする請求項１１に記載の携帯用端末の２軸スライド装置。
【請求項１４】
前記Ｙ軸移動ステージの両側には下向きに折曲されて外側に延びた個所に前記Ｘ軸移動ステージの外側を取り囲むようにして‘（ハングル子音Ｔ・Ｄの文字）’字状のＹ軸スライド部が形成されることを特徴とする請求項１１に記載の携帯用端末の２軸スライド装置。
【請求項１５】
前記各スライド部には、摩擦を低減可能な天然ゴムまたは合成樹脂からなるガイド部材が結合されることを特徴とする請求項１３または請求項１４に記載の携帯用端末の２軸スライド装置。
【発明の詳細な説明】
【技術分野】
【０００１】
本発明は携帯用端末に係り、特に、全体的に薄型化を図ると共に、本体に対してカバーを左右及び上下に自由にスライドすることのできる携帯用端末の２軸スライド装置に関する。
【背景技術】
【０００２】
一般に、携帯電話や電子辞書、ノート型パソコン、ＰＭＰなどの携帯用の情報機器（以下、「端末」と称する。）は、通話やデータ送受信などの無線通信のための装置であり、通常、キーパッド付き本体とディスプレイ用の液晶付きカバーが互いに開閉可能に結合される。
【０００３】
前記端末は、その外観または本体に対するカバーの開閉構造によって、ストレート型、フリップ型、折畳み型及びスライド型などに大別できる。
【０００４】
中でも、スライド型端末は、その長さが短縮できて携帯し易く、より広いディスプレイ用の液晶を取り付けることができ、折畳み型に比べて端末の開閉が容易であるというメリットがあり、最近人気を集めている。
【０００５】
一方、既存には１軸方向にしかスライドできない端末が上市されていたが、最近にはＸ軸及びＹ軸という２軸方向にスライド可能な端末が普及されている。
【０００６】
例えば、特許文献１には、互いに直交するＸ・Ｙ軸方向にスライド動作可能なゲームフォン端末用の両方向スライド装置が提案されているが、このスライド装置は３層構造のステージ構造を採用することを余儀なくされ、各ステージがスライドするためには弾性部材が少なくとも２以上必要となる。
【０００７】
この理由から、やむを得ず既存のスライド装置よりも１．５倍乃至３倍厚く製作しなければならないため端末全体の厚膜化を来たし、各ステージ間の垂直変位差の増加による不安全な移動に起因して耐久性が低下する他、スライドステージを左または右に移動させるためには必ずどちらか一方（通常、上方向）にスライドさせなければならないという煩雑さがある。
【０００８】
上述したスライド装置は、最近の携帯用端末市場の最大の特徴の一つである数ｍｍ厚のスリム化した端末の上市傾向に逆行するものであり、消費者の購買欲求を落とす原因となる。
【先行技術文献】
【特許文献】
【０００９】
【特許文献１】韓国実用新案登録第０４２１６５４号公報
【発明の概要】
【発明が解決しようとする課題】
【００１０】
本発明は上記の事情に鑑みてなされたものであり、その目的は、３種類のステージのガイド部を垂直位相変位差なしに同一平面上に位置させて端末の厚さを極小化させると共に、単一の弾性部材を用いて安全且つ精度よくスライドを行うことのできる携帯用端末の２軸スライド装置を提供するところにある。
【課題を解決するための手段】
【００１１】
上述した本発明の目的は、本体に対してカバーがスライドする携帯用端末において、前記本体に固定され、上側及び下側には垂直方向にＸ軸移動ガイド部が形成された平板状の固定ステージと、前記Ｘ軸移動ガイド部に結合されて水平方向に移動するように上側及び下側に水平方向にＸ軸スライド部が設けられ、両側には垂直方向にＹ軸移動ガイド部が設けられ、中央に空間孔が穿設されたＸ軸移動ステージと、前記カバーに固定され、前記Ｙ軸移動ガイド部に結合されて空間孔内において垂直方向に移動するように両側にＹ軸スライド部が形成されたＹ軸移動ステージと、前記固定ステージに一方の端が結合され、他方の端はＹ軸移動ステージに結合されてＸ軸移動ステージの水平方向及びＹ軸移動ステージの垂直方向に連携スライド時に空間孔の範囲内において３６０°回転する弾性部材と、を備える携帯用端末の２軸スライド装置により達成される。
【発明の効果】
【００１２】
本発明の２軸スライド装置によれば、下記の効果が奏される。
【００１３】
第一に、固定ステージとＸ軸移動ステージ及びＹ軸移動ステージが単層構造に形成されると共に、その単層構造において単一の弾性部材を用いた２軸方向のスライド動作が可能であることから、携帯用端末のさらなるスリム化が図れる結果、消費者の購買性向に符合させることができる。
【００１４】
第二に、単一の弾性部材を用いて２軸方向のスライド構造を可能ならしめることにより、既存の技術よりも構成を単純化できる結果、所要の部品点数を低減することができ、これは、コスト削減及び組立時間の短縮につながる。
【００１５】
第三に、固定ステージとＹ軸移動ステージとの間に介装された弾性部材の３６０°軸回転によりユーザーが自由且つ任意にＸ軸またはＹ軸方向にスライドさせることが可能になる。
【図面の簡単な説明】
【００１６】
【図１】本発明の第１の実施形態による２軸スライド装置を示す結合斜視図。
【図２】図１による２軸スライド装置の分解斜視図。
【図３】図１の「ＩＩＩ−ＩＩＩ」線矢視図。
【図４】図１の「ＩＶ−ＩＶ」線矢視図。
【図５】図１による２軸スライド装置の作動過程を示す平面図。
【図６】本発明の第２の実施形態による２軸スライド装置を示す結合斜視図。
【図７】図６による２軸スライド装置の分解斜視図。
【図８】図６の弾性部材を示す分解斜視図。
【図９】図６による２軸スライド装置の作動過程を示す平面図。
【図１０】本発明の第３の実施形態による２軸スライド装置を示す結合斜視図。
【図１１】図１０による２軸スライド装置の分解斜視図。
【図１２】図１０の「ＸＩＩ−ＸＩＩ」線矢視図。
【図１３】図１０の「ＸＩＩＩ−ＸＩＩＩ」線矢視図。
【図１４】図１０による２軸スライド装置の作動過程を示す平面図。
【図１５】本発明の２軸スライド装置の変形例を示す結合斜視図。
【図１６】本発明の２軸スライド装置の変形例を示す結合斜視図。
【発明を実施するための形態】
【００１７】
以下、添付図面に基づき、本発明による携帯用端末の２軸スライド装置を説明する。
【００１８】
本発明による２軸スライド装置Ｓは、携帯用端末（図示せず）の本体とカバーとの間に介装され、前記本体上においてカバーのスライド距離が許容される範囲内においてＸ軸及びＹ軸方向にスライド移動するように構成される。
【００１９】
このとき、本発明においては、携帯用端末のうち最も一般的な携帯電話を一例として説明及び図示しているが、本発明の２軸スライド装置Ｓは電子辞書、ノート型パソコン、ＰＭＰなど携帯電話以外の物品にも種々に適用可能であることはいうまでもない。
【００２０】
本発明の第１の実施形態による２軸スライド装置Ｓを図１から図５に示す。
【００２１】
第１の実施形態の２軸スライド装置Ｓは、キーパッドなどが設けられた本体に固定される固定ステージ１１０と、この固定ステージ１１０に結合されて図中の水平方向に移動するＸ軸移動ステージ１２０及び液晶表示装置付きカバーに固定されて垂直方向に移動するＹ軸移動ステージ１３０を備えている。
【００２２】
前記固定ステージ１１０は略長方形の平板状であり、その上側及び下側にはＸ軸移動ガイド部１１１がＸ軸方向に長く設けられる。これらそれぞれのＸ軸移動ガイド部１１１は上方に折曲されて相対するように内側に延びた‘（ハングル子音Ｔ・Ｄの文字）’字状のガイド溝をなす。
【００２３】
前記Ｘ軸移動ステージ１２０は固定ステージ１１０上においてＸ軸方向にスライドするものであり、固定ステージ１１０と同様に長方形であり、その上側及び下側には前記Ｘ軸移動ガイド部１１１に結合されてＸ軸方向に移動するようにＸ軸スライド部１２１が設けられる。これらそれぞれのＸ軸スライド部１２１はＸ軸移動ステージ１２０から相対する方向に下向きに折曲されて外側に延びた‘（ハングル子音Ｎの文字）’字状のスライドレールからなる。このスライドレールの端部にはスライドレールがガイド溝に直接的に当接して磨耗されることを防ぐために‘（ハングル子音Ｔ・Ｄの文字）’字状のガイド部材１２１ａが囲設され、このガイド部材１２１ａは天然ゴムや合成樹脂などの所定の弾性力を有することにより摩擦を軽減可能な材質から製作されることが好ましい。
【００２４】
そして、前記Ｘ軸移動ステージ１２０の両側にはＹ軸移動ステージ１３０が結合されて移動可能にＹ軸移動ガイド部１２２が形成される。このＹ軸移動ガイド部１２２はＸ軸移動ステージ１２０の両端から単に下向きに折曲された‘（ハングル子音Ｋ・Ｇの文字）’字状を有する。このとき、前記Ｙ軸移動ガイド部１２２を‘（ハングル子音Ｔ・Ｄの文字）’字状のガイド溝状に形成することなく、‘（ハングル子音Ｋ・Ｇの文字）’字状に単に折曲することによりスライド装置の薄型化に寄与することが可能になる。すなわち、‘（ハングル子音Ｋ・Ｇの文字）’字状のＹ軸移動ガイド部１２２により、Ｙ軸移動ステージ１３０は固定ステージ１１０の上面とＸ軸移動ステージ１２０の底面との間から離脱することなく安定してスライド可能になる。
【００２５】
一方、Ｘ軸移動ステージ１２０の中央には後述する弾性部材１４０がＹ軸移動ステージ１３０に直結されてＹ軸移動ステージ１３０に十分な回転半径を与えるように空間孔１２０ａが穿設されることが好ましい。
【００２６】
前記Ｙ軸移動ステージ１３０はＸ軸移動ステージ１２０上においてＹ軸方向にカバーを移動させるためのものであり、その両側には前記Ｘ軸移動ステージ１２０のＸ軸移動ガイド部１２２に嵌着されるようにＹ軸スライド部１３１が設けられる。
【００２７】
このとき、前記固定ステージ１１０とＹ軸移動ステージ１３０との間には弾性部材１４０が結合されると共に、円滑に動作可能に十分な空間が確保される必要がある。このため、前記Ｙ軸スライド部１３１はＹ軸移動ステージ１３０から‘（ハングル子音Ｎの文字）’字状に下向きに折曲されて前記固定ステージ１１０とＸ軸移動ステージ１２０との間に介装されることにより、Ｙ軸移動ステージ１３０は中央が盛り上がった「帽子」の形状を有する。このとき、スライド装置全体の厚さを考慮し、前記Ｙ軸移動ステージ１３０の上面はＸ軸移動ステージ１２０から突出しないように形成される必要がある。
【００２８】
そして、前記Ｙ軸スライド部１３１の端部には上述した天然ゴムや合成樹脂などからなるガイド部材１３１ａが囲設されることが好ましい。
【００２９】
このように前記固定ステージ１１０の‘（ハングル子音Ｔ・Ｄの文字）’字状に折曲げ形成されたＸ軸移動ガイド部１１１にＸ軸移動ステージ１２０の‘（ハングル子音Ｎの文字）’字状に折曲されたＸ軸スライド部１２１が挿嵌され、前記Ｘ軸移動ステージ１２０の‘（ハングル子音Ｋ・Ｇの文字）’字状に折曲されたＹ軸移動ガイド部１２２と固定ステージ１１０との間にＹ軸移動ステージ１３０のＹ軸スライド部１３１が挿嵌され、さらに、前記Ｘ軸移動ステージ１２０の空間孔１２０ａ内においてＹ軸移動ステージ１３０が可動するように構成されることにより、図３及び図４に示すようにスライド装置が全体的に単層構造をなしてその厚さを極小化することが可能になる。
【００３０】
図２中の未説明符号１１０ａ及び１３０ａはそれぞれヒンジ軸が貫設されるヒンジ孔である。
【００３１】
一方、前記固定ステージ１１０とＹ軸移動ステージ１３０は単一の弾性部材１４０により互いに弾力的に連携され、この弾性部材１４０はＹ軸移動ステージ１３０の移動変化によって弾性力を与えてＸ軸１２０またはＹ軸移動ステージ１３０の半自動スライドが可能になる。
【００３２】
前記弾性部材１４０は全体的なスライド装置の厚さを考慮して、固定ステージ１１０とＹ軸移動ステージ１３０との間、すなわち、Ｘ軸移動ステージの空間孔１２０ａに介装され、一方の端は固定ステージ１１０の中央に結合され、他方の端はＹ軸移動ステージ１３０の中央に結合されて固定ステージ１１０に対して各移動ステージのＸ軸スライド及びＹ軸スライド時にその臨界点以上において弾性力を与えることになる。
【００３３】
すなわち、前記弾性部材１４０は固定ステージ１１０の中央に回転可能に結合される第１のヒンジ軸１４１と、Ｙ軸移動ステージ１３０の中央に回転可能に結合される第２のヒンジ軸１４２と、一方の端は第１のヒンジ軸１４１に結合され、他方の端は第２のヒンジ軸１４２に結合される圧縮バネ１４３と、から構成される。
【００３４】
このような弾性部材１４０は既存のＸ軸またはＹ軸直動だけを行うスライド型端末の弾性部材とは異なり、単一の弾性部材だけでもＸ軸及びＹ軸方向の直動が可能になる。これは２軸スライド装置の部品点数及び重量を減らして製造コストを節減させ、その部品点数の最小化により故障率を減少させて耐久性を高めることが可能になる。
【００３５】
上述したように、前記弾性部材１４０は、ユーザーの特定方向に対する移動操作後に３６０°軸回転力を与えるために、一方の端は固定ステージ１１０の中心に結合され、他方の端はＸ軸移動ステージ１３０の底面中心に結合されている。
【００３６】
ここで、Ｘ軸移動ステージ１３０の３６０°軸回転半径とは、Ｘ軸移動ステージ１３０とＹ軸移動ステージ１２０が結合されて作り出すＸ・Ｙ軸移動のためにＹ軸移動ステージ１３０が前記固定ステージ１１０の上面に固定されている第１のヒンジ軸１４１を中心に時計回り方向または反時計回り方向に回転する半径を意味し、前記第１のヒンジ軸１４１はＹ軸移動ステージ１３０の移動幅の中間とＸ軸移動ステージ１２０の移動幅の中間が交差する個所の固定ステージ１１０の上面に位置することになる。
【００３７】
このとき、Ｙ軸移動ステージ１３０の底面と固定ステージ１１０の上面に位置する弾性部材１４０の固定部間（以下、「回転半径」と称する。）の長さは、Ｘ軸移動ステージ１２０の移動方向を基準として固定ステージ１１０の横長（Ｙ軸移動ステージの移動方向）の半分（以下、「基準幅」と称する。）を超えないことが好ましい。
【００３８】
これは、回転半径の長さが基準幅よりも長い場合、固定ステージ１１０の第１のヒンジ軸が固定ステージ１１０の下端に位置し、且つ、第２のヒンジ軸１４２はＹ軸移動ステージ１３０の下端に位置する必要があり、加えて、各ステージ１２０、１３０が厚くなる結果、本体と固定ステージ１１０との結合力が弱まる恐れがあるためである。
【００３９】
一方、圧縮バネ１４３の長さは回転半径の長さに等しい必要はないが、各移動ステージ１２０、１３０の効果的な直動のためには基準幅以下の範囲内において定まることが好ましい。
【００４０】
このように、既存のＸ軸またはＹ軸直動だけを行うスライド型端末の弾性部材の場合に一つの臨界点が存在するが、この実施形態の弾性部材１４０は、図５に示すように、Ｘ軸移動ステージ２０及びＹ軸移動ステージ３０の移動に伴い第１のヒンジ軸１４１を中心にＸ・Ｙ軸方向の延長線が形成する「＋」字形状と前記回転半径とが回転時に重なり合う４個所において４個の臨界点が存在し、これにより、時計回り方向または反時計回り方向に３６０°軸回転をすることになる（本発明におけるＹ軸移動ステージはＹ軸直動だけを行うが、Ｘ軸移動ステージのＸ軸直動と連携されて結果的に回転運動をすることになる。すなわち、Ｙ軸移動ステージの底面中央に固定された第２のヒンジ軸と同様に運動するのである）。
【００４１】
すなわち、Ｙ軸移動ステージ１３０がいずれか一方に回転しているとき、Ｙ軸移動ステージ１３０が直動する瞬間から臨界点まではユーザーの力に依存し、臨界点以降には弾性部材１４０の弾性反発力に依存するため、半自動スライドが可能になるのである。
【００４２】
これにより、この実施形態における弾性部材１４０は、上→左→下→右（または上→右→下→左）及び左→上→右→下（または右→上→左→下）への直動を自由に選択することができ、既存の２軸スライド装置の問題点であったＸ軸（またはＹ軸）直動のために必ずＹ軸（またはＸ軸）直動が先行されなければならないという不都合を解消することが可能になる。
【００４３】
図６から図９は、本発明の第２の実施形態による２軸スライド装置を示すものである。
【００４４】
第２の実施形態による２軸スライド装置Ｓは、キーパッドなどが設けられた本体１に固定される固定ステージ２１０と、この固定ステージ２１０に結合されてＸ軸に移動するＸ軸移動ステージ２２０及び液晶表示装置付きカバー２に固定されてＹ軸に移動するＹ軸移動ステージ２３０を備え、このような構成は第１の実施形態とほとんど同様である。
【００４５】
このとき、前記固定ステージ２１０の上下側にはそれぞれＸ軸移動ガイド部として水平方向に筒状のガイドバー２１１が設けられ、このガイドバー２１１は固定ステージ２１０から一体に突設された固定ブロック２１２に結合される。
【００４６】
前記Ｘ軸移動ステージ２２０は固定ステージ２１０上において水平方向にスライドするものであり、その上下側にはそれぞれ前記Ｘ軸移動ガイド部２１１に対応するようにＸ軸スライド部２２１が一体に形成されるが、このＸ軸スライド部２２１はガイドバーが挿嵌されるように中央に長手方向に嵌合孔２２１ａが穿孔されたスライドブロックからなる。
【００４７】
また、前記Ｘ軸移動ステージ２２０の中央には空間孔２２０ａが穿設され、この空間孔２２０ａには垂直方向に所定の間隔をあけてＹ軸移動ガイド部２２２としての役割を果たすガイドバーが嵌入する。
【００４８】
前記Ｙ軸移動ステージ２３０はＸ軸移動ステージ２２０上において垂直方向にカバーを移動させるためのものであり、その両側にはそれぞれ前記Ｘ軸移動ステージ２２０のＹ軸移動ガイド部２２２が嵌着されるようにＹ軸スライド部２３１が設けられ、このＹ軸スライド部２３１は、Ｘ軸スライド部と同様に、嵌合孔２３１ａが穿孔されたスライドブロックからなる。
【００４９】
このとき、前記固定ブロック２１２はＸ軸移動ステージ２２０の厚さに等しくなるように固定ステージ２１００から上方に突設され、前記Ｘ軸スライド部は固定ステージ２１０において干渉しないようにＸ軸移動ステージ２２０から延びて下方に突設され、加えて、Ｙ軸移動ステージ２３０の両側の下方に形成されたＹ軸スライド部２３１もＸ軸移動ステージ２２０の厚さと一致するため、前記固定ステージ２１０、Ｘ軸移動ステージ２２０及びＹ軸移動ステージ２３０はその厚さが互いに等しく形成されてスライド装置は全体的に単層構造をなす。
【００５０】
そして、第１の実施形態と同様に、Ｙ軸移動ステージ２３０の移動変化に伴い弾性力を与えてＸ軸またはＹ軸移動ステージの半自動作動が行えるように、前記固定ステージ２１０とＹ軸移動ステージ２３０は単一の弾性部材２４０により互いに弾力的に連携される。
【００５１】
ここで、前記弾性部材２４０は、第１の実施形態とは異なるように構成してもよい。すなわち、図８に示すように、第１のヒンジ軸２４１により固定ステージ２１０に回転可能に結合される第１のバネ支持台２４２と、第２のヒンジ軸２４３によりＸ軸移動ステージ２２０に回転可能に結合される第２のバネ支持台２４４と、前記第１のバネ支持台２３２と第２のバネ支持台２４４との間に連結される筒状のバネガイド２４５と、このバネガイド２４５の外周面に巻回されて第１のバネ支持台２４２と第２のバネ支持台２４４により弾性反発力を有するコイルバネ２４６と、から構成される。
【００５２】
前記第１のバネ支持台２４２及び第２のバネ支持台２４４は略「┴」‘（ハングル母音Ｏの文字）’字状を呈し、前記第１のバネ支持台２４２にはバネガイド２４５が載置可能に載置溝２４２ｂが凹設され、前記第２のバネ支持台２４４にはＹ軸移動ステージ２３０の軸回転時にコイルバネ２４６の弾性力によりバネガイド２４５の一方の端が貫通する貫通孔２４４ｂが穿設される。
【００５３】
このような弾性部材２４０により、第１の実施形態と同様に、単一の弾性部材だけでＸ軸及びＹ軸方向に直動可能になる。
【００５４】
図８中の未説明符号２４２ａ及び２４４ａはそれぞれヒンジ軸が貫設されるヒンジ孔である。
【００５５】
図１０から図１４は、本発明の第３の実施形態による２軸スライド装置を示すものである。
【００５６】
この実施形態の２軸スライド装置は、第１の実施形態と同様に、キーパッドなどが設けられた本体に固定される固定ステージ３１０と、この固定ステージ３１０に結合されて図中の水平方向に移動するＸ軸移動ステージ３２０と、液晶表示装置付きカバーに固定されて垂直方向に移動するＹ軸移動ステージ３３０及び前記固定ステージ３１０とＹ軸移動ステージ３３０を互いに弾力的に連携させる弾性部材３４０を備える。
【００５７】
このとき、第１の実施形態においては、前記固定ステージ３１０が平板状に形成されていたが、この実施形態における固定ステージ３１０には、前記弾性部材３４０を固定するために中央に垂直方向に設けられた弾性部材結合板３１２を除いて、空間部３１４が形成される。これにより、材料費の節減及びスライド装置の軽量化を図ることが可能になる。
【００５８】
そして、前記固定ステージ３１０の上側及び下側には上向きに折曲されて内側に延びた‘（ハングル子音Ｔ・Ｄの文字）’字状のガイド溝からなるＸ軸移動ガイド部３１１が設けられる。
【００５９】
前記Ｘ軸移動ステージ３２０は、１対の横支持台３２１と、この横支持台３２１と直交するように結合される１対の縦支持台３２２と、から構成される。すなわち、前記１対の横支持台３２１は互いに所定の間隔をあけて配置され、前記１対の縦支持台３２２は横支持台３２１それぞれの先端に交差結合され、これにより、前記各横支持台３２１と縦支持台３２２の中央には自然に空間孔３２０ａが穿設される。
【００６０】
このとき、前記横支持台３２１の両端は下向きに折曲され、前記縦支持台３２２の両端も下向きに折曲されてＸ軸移動ステージ３２０は全体的に盛り上がった「帽子」の形状を呈する。これにより、固定ステージ３１０とＸ軸移動ステージ３２０との間には弾性部材３４０が介装される空間が形成される。そして、前記縦支持台３２２の端部には外側に延びたＸ軸スライド部３２２ａが形成されて前記‘（ハングル子音Ｔ・Ｄの文字）’字状のＸ軸移動ガイド部３１１に嵌まり込むように構成される。
【００６１】
前記Ｙ軸移動ステージ３３０はその両側に下向きに折曲されて外側に延びた個所に前記縦支持台３２２の外側を取り囲むようにして‘（ハングル子音Ｔ・Ｄの文字）’字状のＹ軸スライド部３３１が形成される。
【００６２】
このため、前記弾性部材結合板３１２とＹ軸移動ステージ３３０との間に形成された空間に弾性部材３４０が位置することになる。前記弾性部材３４０は、第１の実施形態と同様に、弾性部材結合板３４０の上面中央に一方の端が結合され、他方の端はＹ軸移動ステージ３３０の底面中央に結合される。
【００６３】
このように、前記固定ステージ３１０とＸ軸移動ステージ３２０及びＹ軸移動ステージ３３０は、各移動ガイド部３１１とスライド部３２２ａ、３３１に垂直変位差が発生せず、且つ、単層構造を有する。
【００６４】
一方、前記弾性部材結合板３１２の一方の側にはＹ軸移動ステージ３３０の幅に対応するように取付孔３１３が穿設されることが好ましい。すなわち、取付孔３１３がない場合、前記Ｙ軸移動ステージ３３０が結合されたＸ軸移動ステージ３２０を固定ステージ３１０に取り付けようとするときに弾性部材結合板３１２にＹ軸移動ステージ３３０の両端部が当接してしまうため、所定の圧力を加えて嵌め込むことにより取り付けを行わなければならないが、取付孔３１３がある場合、Ｙ軸移動ステージ３３０の位置に対応付けて取付孔３１３を位置させた後、Ｘ軸移動ステージ３２０のＸ軸スライド部３２２ａをＸ軸移動ガイド部３１１に嵌め込んだ後にスライドさせることにより、自然に取り付けがなされる。
【００６５】
図１５及び図１６は、本発明による２軸スライド装置の変形例を示すものである。
【００６６】
すなわち、図１５はスライド装置の全体的な構成においては第１の実施形態とほとんど同様であり、弾性部材の構成は第２の実施形態のそれと同様である。
【００６７】
図１６は、スライド装置の全体的な構成においては第２の実施形態とほとんど同様であり、弾性部材の構成は第１の実施形態のそれと同様である。
【００６８】
すなわち、本発明においては、弾性部材として、第１の実施形態の圧縮バネや第３の実施形態のコイルバネが適用されたものを一例として説明したが、これに限定されることなく、一方の端は固定ステージに回転可能に結合され、他方の端はＹ軸移動ステージに回転可能に結合可能な構成であれば、圧縮バネ、引張りバネ、トーションバネなどいずれも適用可能である。
【符号の説明】
【００６９】
１１０  固定ステージ、
１１１  Ｘ軸移動ガイド部、
１２０  Ｘ軸移動ステージ、
１２１  Ｘ軸スライド部、
１２２  Ｙ軸移動ガイド部、
１３０  Ｙ軸移動ステージ、
１３１  Ｙ軸スライド部、
１４０  弾性部材、
１４１  第１のヒンジ軸、
１４２  第２のヒンジ軸、
１４３  弾性バネ、
【図１】
0004796651.tif 000002
【図２】
0004796651.tif 000003
【図３】
0004796651.tif 000004
【図４】
0004796651.tif 000005
【図５】
0004796651.tif 000006
【図６】
0004796651.tif 000007
【図７】
0004796651.tif 000008
【図８】
0004796651.tif 000009
【図９】
0004796651.tif 000010
【図１０】
0004796651.tif 000011
【図１１】
0004796651.tif 000012
【図１２】
0004796651.tif 000013
【図１３】
0004796651.tif 000014
【図１４】
0004796651.tif 000015
【図１５】
0004796651.tif 000016
【図１６】
0004796651.tif 000017